(57)【要約】【課題】鍵違い数を増やすことができる異種キー多段適合錠を提供する。【解決手段】異種キー多段適合錠において、外筒１３と、内筒１５と、ロッキングバー２１と、工事用タンブラー６３、第１休止タンブラー６５、リリースタンブラー６７及び第２休止タンブラー６９と、内筒１５に設けられ異なる合鍵が鍵孔２７に挿入されるごとに係合部が押圧されて揺動されたリリースタンブラー６７によって順次半径方向内側に配置される作動板１７と、それぞれのタンブラーの鍵包囲部分に挿通され作動板１７に係止することで軸線方向への移動が規制される複数の段部が形成され、作動板１７の半径方向内側への移動によって、第１休止タンブラー６５、第２休止タンブラー６９の解錠切欠をロッキングバー２１に整合させて休止状態としていた揺動規制を解除して、第１休止タンブラー６５、第２休止タンブラー６９を順次休止解除するコンスバー１９と、を設けた。【選択図】  図２
2014141835.tif 000002
【特許請求の範囲】
【請求項１】
内周面の母線に沿ってカム溝が形成される外筒と、
前記外筒の内側に回転自在に嵌合され中心軸線に沿って鍵孔を貫通させた内筒と、
前記内筒の外周に収容され半径方向に移動可能となるとともに前記カム溝に外側縁が係合する方向に付勢されるロッキングバーと、
前記内筒に鍵孔入口側より順に収容され、前記内筒を軸線方向に貫通する支軸に揺動可能に軸支されるとともに、揺動自由端外縁には解錠切欠が形成され且つ揺動自由端内縁には先端の移動軌跡が前記鍵孔に挿入された合鍵と干渉する係合部を有し、この係合部が合鍵に近接する方向に付勢されるタンブラー、リリースタンブラー及び複数組みの休止タンブラーと、
前記内筒に設けられ、異なる合鍵が前記鍵孔に挿入されるごとに前記係合部が押圧されて揺動された前記リリースタンブラーによって順次半径方向内側に配置される作動板と、
前記タンブラー、リリースタンブラー及び複数組みの休止タンブラーの前記鍵孔を除く鍵包囲部分に前記内筒の軸線方向に沿う方向で挿通され、前記作動板に係止することで前記軸線方向への移動が規制される複数の段部が形成され前記作動板の半径方向内側への移動によって、前記複数組みの休止タンブラーの前記解錠切欠を前記ロッキングバーに整合させて休止状態としていた揺動規制を解除し、前記複数組みの休止タンブラーを順次休止解除するコンスバーと、
を具備することを特徴とする異種キー多段適合錠。
【請求項２】
請求項１記載の異種キー多段適合錠であって、
前記複数組みの休止タンブラーが、第１休止タンブラーと第２休止タンブラーとで構成され、
前記段部が少なくとも第１段部と、第２段部とからなり、
前記合鍵が、前記タンブラーと、第１休止タンブラーと、第２休止タンブラーのそれぞれ対応する第１コンストラクションキーと、第２コンストラクションキーと、入居者キーとされ、
前記第１コンストラクションキーの使用状態で前記第１段部に係止している前記コンスバーは、
前記第２コンストラクションキーの使用により前記作動板の半径方向内側への移動によって前記第１段部の係止が解除されて軸線方向へ所定距離移動された後に第２段部に係止されることで、第１休止凸部による前記第１休止タンブラーの揺動規制を解除して前記第１休止タンブラーの休止状態を解除し、
前記入居者キーの使用により前記作動板の半径方向内側への更なる移動によって前記第２段部の係止が解除されて軸線方向へさらに所定距離移動されることで、第２休止凸部による前記第２休止タンブラーの揺動規制を解除して前記第２休止タンブラーの休止状態を解除することを特徴とする異種キー多段適合錠。
【発明の詳細な説明】
【技術分野】
【０００１】
本発明は、異種キーを段階的に使用可能、無効とし、最終的に１つのキーのみを使用可能とする異種キー多段適合錠に関する。
【背景技術】
【０００２】
例えばビルやマンションなどの建物の建設では、施工の進捗によって防犯性の確保が生じ、各部屋毎の玄関扉等に錠が取り付けられる。この場合、特に販売目的の建物では、工事中、販売前の管理中、販売後の居住者用として、錠を段階的に変える必要がある。そこで、１つの錠を用いて異種キーを段階的に使用可能、無効とし、最終的に１つの入居者キーみを使用可能とする異種キー多段適合錠が開発されている（特許文献１等参照）。
【０００３】
同文献に開示される異種キー多段適合錠であるコンストラクションキー装置付ロータリーディスクタンブラー錠（コンス錠）は、内周面の母線に沿ってカム溝を形成した外筒と、この外筒に回転自在に嵌合し、中心軸線に沿って鍵孔を貫通させた内筒とを有する。内筒の外周には、母線に沿って延在し、半径方向に移動可能に案内されて、上記のカム溝と係合するロッキングバーが配置される。内筒の内方には中央部に鍵孔を包囲し得る大きさの鍵挿通孔を形成した複数のロータリーディスクタンブラーが挿設される。ロータリーディスクタンブラーは、内筒を軸線方向に貫通する支軸に揺動可能に軸支され、自由端部外側端縁に解錠切欠を有する。ロータリーディスクタンブラーの鍵挿通孔の開口端縁には、先端の移動軌跡が鍵孔に挿入された合鍵と干渉する係合突起が一体に突設される。ロータリーディスクタンブラーは、係合突起が合鍵に近接する方向に付勢され、常態ではバックアップピンに係止している。他方、これらロータリーディスクタンブラー群は、係合突起のそれぞれが鍵孔に挿通された合鍵の窪みと係合したとき、それぞれの解錠切欠が直線溝となり、この直線溝にロッキングバーを没入することで、外筒に対して内筒を回転可能、すなわち、施解錠可能としている。
【０００４】
このコンス錠は、例えば第１コンストラクションキー、第２コンストラクションキー、入居者キーを使用する異種キー多段適合錠として機能させるため、複数のロータリーディスクタンブラーが、工事用タンブラー、第１休止タンブラー、リセットタンブラー及び第２休止タンブラーに分けられている。これら工事用タンブラー、第１休止タンブラー、リセットタンブラー及び第２休止タンブラーにはバックアップピンが貫通して設けられ、バックアップピンは軸線方向へ段階的に配置されることで、第１休止タンブラーの休止を解除し、次に、第２休止タンブラーを解除する。このバックアップピンの段階的な配置は、コンス錠に第２コンストラクションキーを使用することで一枚目のリセットタンブラーを作動させて行い、次いで入居者キーを使用することで二枚目のリセットタンブラーを作動させて行われる。
【先行技術文献】
【特許文献】
【０００５】
【特許文献１】特許第４００８３０８号公報
【発明の概要】
【発明が解決しようとする課題】
【０００６】
しかしながら、従来の異種キー多段適合錠は、現行使用している第１コンストラクションキーから、第２コンストラクションキーと入居者キーとの２段階で適合キーを変更する場合、二枚のリセットタンブラーが必要となり、すなわち、変更段数と同じ枚数のリセットタンブラーが必要となった。このため、ロータリーディスクタンブラーの収容枚数が限られる異種キー多段適合錠においては、切り替え段数が増えれば通常使用できるロータリーディスクタンブラーの枚数が減り、その結果、鍵違い数が大幅に減ることになった。
【０００７】
本発明は上記状況に鑑みてなされたもので、その目的は、鍵違い数を減らさず、すなわち鍵違い数を増やすことができる異種キー多段適合錠を提供することにある。
【課題を解決するための手段】
【０００８】
次に、上記の課題を解決するための手段を、実施の形態に対応する図面を参照して説明する。
本発明の請求項１記載の異種キー多段適合錠は、内周面の母線に沿ってカム溝２５が形成される外筒１３と、
前記外筒１３の内側に回転自在に嵌合され中心軸線に沿って鍵孔２７を貫通させた内筒１５と、
前記内筒１５の外周に収容され半径方向に移動可能となるとともに前記カム溝２５に外側縁が係合する方向に付勢されるロッキングバー２１と、
前記内筒１５に鍵孔入口側より順に収容され、前記内筒１５を軸線方向に貫通する支軸４５に揺動可能に軸支されるとともに、揺動自由端外縁には解錠切欠５９が形成され且つ揺動自由端内縁には先端の移動軌跡が前記鍵孔２７に挿入された合鍵と干渉する係合部６１を有し、この係合部６１が合鍵に近接する方向に付勢されるタンブラー６３、リリースタンブラー６７及び複数組みの休止タンブラー６５，６９と、
前記内筒１５に設けられ、異なる合鍵が前記鍵孔２７に挿入されるごとに前記係合部６１が押圧されて揺動された前記リリースタンブラー６７によって順次半径方向内側に配置される作動板１７と、
前記タンブラー６３、リリースタンブラー６７及び複数組みの休止タンブラー６５，６９の前記鍵孔２７を除く鍵包囲部分に前記内筒１５の軸線方向に沿う方向で挿通され、前記作動板１７に係止することで前記軸線方向への移動が規制される複数の段部が形成され前記作動板１７の半径方向内側への移動によって、前記複数組みの休止タンブラー６５，６９の前記解錠切欠５９を前記ロッキングバー２１に整合させて休止状態としていた揺動規制を解除し、前記複数組みの休止タンブラー６５，６９を組み毎に順次休止解除するコンスバー１９と、
を具備することを特徴とする。
【０００９】
この異種キー多段適合錠では、外筒１３と内筒１５との間に半径方向に移動自在となったロッキングバー２１を、内筒外周の所定位置に揃えられる解錠切欠５９に進入拒否または進入許可することで、内筒１５の回転、すなわち、施解錠を可能とする。
内筒１５には軸線方向に沿って複数枚のタンブラー６３、リリースタンブラー６７及び複数組みの休止タンブラー６５，が揺動自在となって重ねて配置される。これらの揺動自由端外縁にはそれぞれに上記の解錠切欠５９が形成される。タンブラー６３、リリースタンブラー６７及び複数組みの休止タンブラー６５，６９は、揺動自由端内縁に係合部６１が突設され、鍵孔２７に合鍵が挿入されると、それぞれの係合部６１が押圧されて個々が所定量で揺動される結果、全ての解錠切欠５９が軸線方向に沿う直線溝となって揃う。内筒１５の外周に出現したこの直線溝には、外筒１３との間に配設されているロッキングバー２１が進入可能となる。すなわち、内筒１５は、この直線溝にロッキングバー２１を没入することで、外筒１３に対して回転が可能、すなわち、施解錠可能となる。
ここで、異種キー多段適合錠では、例えば、休止タンブラーを第１、第２の２組で構成した場合、第１休止タンブラー６５、第２休止タンブラー６９の解錠切欠５９がロッキングバー２１の進入を許容する直線溝となるように、予め第１休止タンブラー６５、第２休止タンブラー６９の揺動をコンスバー１９によって揺動規制して内筒１５に仮保持、すなわち休止状態としている。一方、タンブラー６３の解錠切欠５９のみが直線溝から外れている。なお、前記タンブラー６３と複数組みの休止タンブラー６５．６９の合計組み数と同数、すなわちこの場合３本の合鍵９３，９５，９７が構成されることとなる。
そして、最初の合鍵９３が挿入されると、タンブラー６３の係合部６１が押圧され、タンブラー６３が所定量揺動される。その結果、タンブラー６３の解錠切欠５９がロッキングバー２１を受け入れ可能な直線溝に揃い、内筒１５の回転が可能となって、その合鍵での施解錠が可能となる。
次に、第２の合鍵９５が挿入されると、リリースタンブラー６７が所定量揺動され、この状態で内筒１５が回転されると、ロッキングバー２１がリリースタンブラー６７を押圧する。押圧されたリリースタンブラー６７は、作動板１７を押圧し、作動板１７とコンスバー１９の最初の段部との係止を解除する。コンスバー１９は、係止が外れると、軸線方向奥側へ移動され、次の段部に係止して停止し、第１休止タンブラー６５の休止を解除する。第２の合鍵９３が鍵孔２７から抜かれれば、第１休止タンブラー６５の解錠切欠５９が直線溝と一致しなくなるので、今まで使用可能であった第１の合鍵９３は使用できなくなる。
次に、第３の合鍵９７が使用されると、リリースタンブラー６７が所定量揺動され、上記同様に、リリースタンブラー６７が作動板１７を押圧し、作動板１７とコンスバー１９の次の段部との係止を解除する。コンスバー１９は、係止が外れると、さらに軸線方向奥側へ移動され、第２休止タンブラー６９の休止を解除する。第３の合鍵９７が鍵孔２７から抜かれれば、第２休止タンブラー６９の解錠切欠５９が直線溝と一致しなくなるので、今まで使用可能であった第２の合鍵９５は使用できなくなる。
このように、本構成では、一つのコンスバー１９に、複数の段部を形成し、この段部に段階的に作動板１７を係止することで、段部の数分、コンスバー１９の軸線方向の移動位置を変位させることができる。その変位に同期させて複数組みの休止タンブラー、すなわち第１休止タンブラー６５、第２休止タンブラー６９の休止状態が段階的に解除される。これにより、異種キーを変更する段階数に応じてリリースタンブラー６７を増やす必要がなく、一枚のリリースタンブラー６７で多段の異種キーに切り替え適合させることができる。このため、限られたタンブラー枚数の錠において、従来に比べ鍵違い数を増やすことができる。
【００１０】
本発明の請求項２記載の異種キー多段適合錠は、請求項１記載の異種キー多段適合錠であって、
前記複数組みの休止タンブラーが、第１休止タンブラー６５と第２休止タンブラー６９とで構成され、
前記段部が少なくとも第１段部１２５と、第２段部１２７とからなり、
前記合鍵が、前記タンブラー６３と、第１休止タンブラー６５と、第２休止タンブラー６９のそれぞれ対応する第１コンストラクションキー９３と、第２コンストラクションキー９５と、入居者キー９７とされ、
前記第１コンストラクションキー９３の使用状態で前記第１段部１２５に係止している前記コンスバー１９は、
前記第２コンストラクションキー９５の使用により前記作動板１７の半径方向内側への移動によって前記第１段部１２５の係止が解除されて軸線方向へ所定距離移動された後に第２段部１２７に係止されることで、第１休止凸部１２１による前記第１休止タンブラー６５の揺動規制を解除して前記第１休止タンブラー６５の休止状態を解除し、
前記入居者キー９７の使用により前記作動板１７の半径方向内側への更なる移動によって前記第２段部１２７の係止が解除されて軸線方向へさらに所定距離移動されることで、第２休止凸部１２３による前記第２休止タンブラー６９の揺動規制を解除して前記第２休止タンブラー６９の休止状態を解除することを特徴とする。
【００１１】
この異種キー多段適合錠では、最初、タンブラー６３のみが揺動可能となっており、第１コンストラクションキー９３が挿入されると、タンブラー６３の係合部６１が押圧され、タンブラー６３の解錠切欠５９がロッキングバー２１を受け入れ可能とするので、内筒１５の回転が可能となり、第１コンストラクションキー９３を用いた施解錠が可能となる。
次に、建物が完成し、入居者の入る前では、不動産会社等による建物管理が必要となる。この際に、第２コンストラクションキー９５が使用される。第２コンストラクションキー９５が鍵孔２７に挿入されると、リリースタンブラー６７の係合部６１が押圧されて、リリースタンブラー６７が所定量揺動される。リリースタンブラー６７の揺動は、自身に形成されているタンブラー側第１押圧面７３をロッキングバー２１に対面させる。この状態で第２コンストラクションキー９５が回転されると、ロッキングバー２１が外筒１３の内周に摺接して半径方向内側に移動され、リリースタンブラー６７のバー第１押圧面を押圧する。タンブラー側第１押圧面７３が押圧されたリリースタンブラー６７は、作動板１７を半径方向内側へ押圧する。作動板１７は、半径方向内側へ押圧されると、いままで係止していたコンスバー１９の第１段部１２５との係止が外れる。コンスバー１９は、作動板１７に対して第１段部１２５の係止が外れると、リセットバネ１１７の付勢力によって軸線方向奥側へ移動される。軸線方向奥側へ移動されたコンスバー１９は、いままで第１休止タンブラー６５の揺動を規制していた第１休止凸部１２１が、第１休止タンブラー６５から外れ、第１休止タンブラー６５の休止を解除する。これにより、いままでコンスバー１９によって解錠切欠５９が直線溝に揃えられていた第１休止タンブラー６５は、揺動規制が解除されて、第２コンストラクションキー９５が挿入された場合のみ、解錠切欠５９が直線溝に揃うようになる。第２コンストラクションキー９５が鍵孔２７から抜かれれば、第１休止タンブラー６５の解錠切欠５９が直線溝と一致しなくなるので、今まで使用可能であった第１コンストラクションキー９３は使用できなくなる。
次に、建物が売られると、入居者による施解錠が行われるようになる。この際に、入居者キー９７が使用される。入居者キー９７が鍵孔２７に挿入されると、リリースタンブラー６７の係合部６１が押圧されて、リリースタンブラー６７が所定量揺動される。リリースタンブラー６７の揺動は、自身に形成されているタンブラー側第２押圧面７５をロッキングバー２１に対面させる。この状態で入居者キー９７が回転されると、ロッキングバー２１が外筒１３の内周に摺接して半径方向内側に移動され、リリースタンブラー６７のタンブラー側第２押圧面７５を押圧する。タンブラー側第２押圧面７５が押圧されたリリースタンブラー６７は、作動板１７を半径方向内側へ押圧する。作動板１７は、半径方向内側へ押圧されると、いままで係止していたコンスバー１９の第２段部１２７との係止が外れる。コンスバー１９は、作動板１７に対して第２段部１２７の係止が外れると、リセットバネ１１７の付勢力によって軸線方向奥側へ移動される。軸線方向奥側へ移動されたコンスバー１９は、いままで第２休止タンブラー６９の揺動を規制していた第２休止凸部１２３が、第２休止タンブラー６９から外れ、第２休止タンブラー６９の休止を解除する。これにより、いままでコンスバー１９によって解錠切欠５９が直線溝に揃えられていた第２休止タンブラー６９は、揺動規制が解除されて、入居者キー９７が挿入された場合のみ、解錠切欠５９が直線溝に揃うようになる。入居者キー９７が鍵孔２７から抜かれれば、第２休止タンブラー６９の解錠切欠５９が直線溝と一致しなくなるので、今まで使用可能であった第２コンストラクションキー９５は使用できなくなる。
【発明の効果】
【００１２】
本発明に係る請求項１記載の異種キー多段適合錠によれば、リリースタンブラーを一枚とすることができるので、タンブラー及び複数組みの休止タンブラーの枚数を減らさずに済み、入居後の鍵違い数を増やすことができる。
【００１３】
本発明に係る請求項２記載の異種キー多段適合錠によれば、第１コンストラクションキーの使用可能な状態と、これを無効にして第２コンストラクションキーを使用可能とする状態と、さらに、この第２コンストラクションキーを無効にして入居者キーを使用可能とする状態との３段階の異種キー適合の切り替えを、一枚のリリースタンブラーで行うことができる。
【図面の簡単な説明】
【００１４】
【図１】本発明に係る異種キー多段適合錠を鍵孔の奥側から見た要部断面図である。
【図２】図１に示した異種キー多段適合錠の側断面図である。
【図３】図１に示した異種キー多段適合錠の要部分解正面図である。
【図４】図１に示した異種キー多段適合錠の要部分解側断面図である。
【図５】図３に示した作動板の正面図である。
【図６】図２に示したリリースタンブラー、作動板、コンスバー及びロッキングバーの分解斜視図である。
【図７】（ａ）はコンスバーの側面図、（ｂ）は引渡後位置の断面図、（ｃ）は管理中位置の断面図、（ｄ）は工事中位置の断面図、（ｅ）は休止中位置の断面図、（ｆ）は動作中位置の断面図である。
【図８】図２に示した異種キー多段適合錠の仕切板を省略した側断面図である。
【図９】（ａ）は第１コンストラクションキーの平面図、（ｂ）は第２コンストラクションキーの平面図及びそのＫ−Ｋ断面図、（ｃ）は入居者キーの平面図である。
【図１０】（ａ）は第１コンストラクションキー運用時における鍵抜き状態の要部側断面図、（ｂ）は（ａ）のＡ−Ａ断面図である。
【図１１】（ａ）は第２コンストラクションキー挿入時の断面図、（ｂ）は（ａ）の内筒が回転途中の断面図である。
【図１２】（ａ）は第２コンストラクションキー運用時における鍵抜き状態の要部側断面図、（ｂ）は（ａ）のＢ−Ｂ断面図である。
【図１３】（ａ）は入居者キー挿入時の断面図、（ｂ）は（ａ）の内筒が回転途中の断面図である。
【図１４】（ａ）は入居者キー運用時における鍵抜き状態の要部側断面図、（ｂ）は（ａ）のＣ−Ｃ断面図である。
【図１５】（ａ）はリリースタンブラーの各機能部位を説明する正面図、（ｂ）は第１コンストラクションキー運用時の作動板位置を示す正面図、（ｃ）は第２コンストラクションキー運用時の作動板位置を示す正面図、（ｄ）は入居者キー運用時の作動板位置を示す正面図である。
【発明を実施するための形態】
【００１５】
以下、本発明に係る実施形態を図面を参照して説明する。
図１は本発明に係る異種キー多段適合錠を鍵孔の奥側から見た要部断面図、図２は図１に示した異種キー多段適合錠の側断面図、図３は図１に示した異種キー多段適合錠の要部分解正面図、図４は図１に示した異種キー多段適合錠の要部分解側断面図、図５は図３に示した作動板の正面図、図６は図２に示したリリースタンブラー、作動板、コンスバー及びロッキングバーの分解斜視図、図７（ａ）はコンスバーの側面図、（ｂ）は引渡後位置の断面図、（ｃ）は管理中位置の断面図、（ｄ）は工事中位置の断面図、（ｅ）は休止中位置の断面図、（ｆ）は動作中位置の断面図、図８は図２に示した異種キー多段適合錠の仕切板を省略した側断面図、図９（ａ）は第１コンストラクションキーの平面図、（ｂ）は第２コンストラクションキーの平面図及びそのＫ−Ｋ断面図、（ｃ）は入居者キーの平面図である。
本実施形態に係る異種キー多段適合錠であるコンス錠１１は、外筒１３と、内筒１５と、複数のディスクタンブラーと、作動板１７と、コンスバー１９と、ロッキングバー２１とを有する。
【００１６】
外筒１３は、扉に設けられる錠箱に固定される。外筒１３の外周には軸線方向に沿って凸条２３が形成され、この凸条２３の内側には軸線方向に沿うカム溝２５が形成される。この外筒１３の内方には、内筒１５が回転自在に嵌合される。
【００１７】
内筒１５は、外筒１３の内側に回転自在に嵌合され中心軸線に沿って複雑な形状の鍵孔２７を貫通させる。内筒１５は、扉等の外面側に露出するフランジ付盤状のキーガイド２９と、尾栓３１との間に、複数の仕切板３３が間隙を介して内筒軸線方向に離間配設される。本実施形態では仕切板３３は１０枚であるがこれに限定されない。尾栓３１からは内筒１５と一体に回転するテールピース３５が突設され、テールピース３５は錠箱内の施解錠機構に接続されて、その回転を施解錠機構に伝達する。
【００１８】
それぞれの仕切板３３は、全体の形状が略円形の板状体であり、図１で左右両側には円弧状のリテーナ挿入凹部３７が形成され、中央部には鍵孔２７と、台形と矩形とを組合せた六角形のコンスバー挿通孔３９とが開口している。鍵孔２７の横断面形状を複雑にしたのは、所謂ウォードの種類を多くして鍵違いを多くする目的の他、鍵孔内におけるピッキング工具の操作を困難にするためである。また、鍵孔２７の断面形状を内筒１５の中心軸線に関して点対称としたのは、合鍵の裏表に関係無く合鍵を鍵孔２７に挿入できる所謂リバーシブルキーにするためである。
【００１９】
内筒１５の外周には、内筒１５の母線に沿って延在し、内筒１５の外周部において半径方向に移動可能に案内されるロッキングバー２１が収容される。上記の仕切板３３の一つは厚肉のバネ支持板４１として形成され、このバネ支持板４１にはロッキングバー作動バネ４３が保持される。ロッキングバー２１は、カム溝２５と係合する外側縁が外方に突出する方向にロッキングバー作動バネ４３によって付勢される。
【００２０】
内筒１５には、支軸４５が内筒１５を軸線方向に貫通して固定される。内筒１５には、支軸４５と反対側の外周部に凹状に切り欠かれた案内溝４７が形成される。案内溝４７は、ロッキングバー２１を内筒１５の半径方向に移動可能に案内する。支軸４５を挟んで案内溝４７の反対側にはバネ支持軸４９が内筒１５を軸線方向に貫通して固定され、バネ支持軸４９にはタンブラーバネ５１がそれぞれのディスクタンブラーに応じて支持されている。
【００２１】
１０枚の仕切板３３、作動板１７、キーガイド２９及び尾栓３１は、リテーナ５３を介して一体的に係合され、内筒１５を構成している。リテーナ５３は、円筒の一部をその母線に沿って一定の幅で切り欠いた形状の弧状板で、その軸線方向に沿って、仕切板３３のリテーナ挿入凹部３７と嵌合する。リテーナ５３は、仕切板３３を介して相互に係合される。内筒１５は、仕切板３３と、隣接する他の仕切板３３との間がスロットとなる。
【００２２】
スロットには、ディスクタンブラーが配置され、中央部に鍵孔２７を包囲し得る大きさの鍵包囲部分を有し、本実施形態では環状に形成されて、この鍵包囲部分が鍵包囲穴５５とされる。ディスクタンブラーは、支軸４５に支軸挿通穴（図示せず）を嵌挿することで揺動可能に軸支され、揺動自由端部外側端縁に解錠切欠５９が形成される。また、ディスクタンブラーは、揺動自由端内縁となる鍵包囲穴５５の開口端縁に、先端の移動軌跡が鍵孔２７に挿入された合鍵のブレードの平面部または端縁部と干渉する係合部としての係合突起６１が突設される。
【００２３】
これらディスクタンブラー群の係合突起６１のそれぞれが鍵孔２７に挿通された合鍵のブレードに形成された異なる窪みと係合したとき、それぞれのディスクタンブラーは解錠切欠５９がロッキングバー２１の内側縁と整合する。本実施形態においては、複数のディスクタンブラーは、図４に示すように、鍵孔入口側より順に、タンブラーとしての工事用タンブラー６３、第１休止タンブラー６５、リリースタンブラー６７及び第２休止タンブラー６９とされ、すなわち本実施形態では、複数組みの休止タンブラーとして、第１と第２の２組を休止タンブラーとされる。
【００２４】
鍵孔２７の外側の開口から（図２中左方）見て４個目のディスクタンブラーが第１休止タンブラー６５となり、６個目から１１個目迄の６個のディスクタンブラーが第２休止タンブラー６９となる。なお、内筒１５において外側の３個のディスクタンブラーは工事中に用いられる工事用タンブラー６３となる。また、５個目のディスクタンブラーはリリースタンブラー６７となる。つまり、工事用タンブラー６３と作動板１７との間に第１休止タンブラー６５が配置され、作動板１７と第２休止タンブラー６９との間にリリースタンブラー６７が配置されている。
【００２５】
第１休止タンブラー６５及び第２休止タンブラー６９は、通常のディスクタンブラーと同様の形状であり、その自由端部外側縁には解錠切欠５９も形成されている。異なるところは、その自由端部内側縁に休止用突起７１（図８参照）が形成されている点のみである。第１休止タンブラー６５及び第２休止タンブラー６９は、休止用突起７１と解錠切欠５９とが所定の位置関係で形成されている。すなわち、第１休止タンブラー６５及び第２休止タンブラー６９は、鍵孔２７に合鍵が挿入されていない常態において、休止用突起７１がコンスバー１９に当接し、その角度位置に係止されているとき、解錠切欠５９がロッキングバー２１に整合する。
【００２６】
リリースタンブラー６７は、作動板１７の図２の右側に形成されたスロットに配置されている。リリースタンブラー６７は、第１休止タンブラー６５、第２休止タンブラー６９と略同様であるが、支軸挿通穴の位置に支軸挿通溝５７が形成されていて、作動板１７と同様に、全体として内筒半径方向に移動できる。リリースタンブラー６７は、他のディスクタンブラーと同様に、タンブラーバネ５１の弾力によりその係合突起６１が鍵孔２７に近接する方向（図１に示した鍵孔２７の奥側から見た場合に時計回り）に付勢される。
【００２７】
リリースタンブラー６７の自由端部外側縁には解錠切欠５９が形成される。リリースタンブラー６７は、外力が作用しない常態において、解錠切欠５９がロッキングバー２１と整合するように設定されている。リリースタンブラー６７の自由端部外側縁には解錠切欠５９に隣接して、タンブラー側第１押圧面７３（図６参照）が形成される。さらに、このタンブラー側第１押圧面７３に隣接する自由端部外側縁は、タンブラー側第２押圧面７５となっている。これらタンブラー側第１押圧面７３及びタンブラー側第２押圧面７５は、リリースタンブラー６７が所定の揺動角度に揺動されることで、ロッキングバー２１の押圧連続壁７７（図６参照）で押圧される。
【００２８】
リリースタンブラー６７のタンブラー側第１押圧面７３の略反対側となる鍵包囲穴５５の穴縁には穴縁から一段切り欠かれたタンブラー側第１規制段部７９が形成される。また、タンブラー側第２押圧面７５の略反対側となる鍵包囲穴５５の穴縁にはタンブラー側第１規制段部７９からさらに一段切り欠かれたタンブラー側第２規制段部８１が形成される。これらタンブラー側第１規制段部７９及びタンブラー側第２規制段部８１は、リリースタンブラー６７がタンブラーバネ５１によって付勢されることで、コンスバー１９の側方に当接する。リリースタンブラー６７は、タンブラー側第１規制段部７９及びタンブラー側第２規制段部８１がコンスバー１９に当接することで、タンブラー側第１押圧面７３またはタンブラー側第２押圧面７５をロッキングバー２１に対向させる所定の揺動位置に保持される。
【００２９】
リリースタンブラー６７の自由端部にはさらにスライド部８３（図６参照）が形成され、スライド部８３は作動板１７のガイド突起８５の間に挟まれる。リリースタンブラー６７は、鍵孔２７に、所定の合鍵が挿入されることで揺動され、スライド部８３がガイド突起８５間をスライド移動する。また、このスライド部８３によって、リリースタンブラー６７は、ガイド突起８５を介して作動板１７を移動可能としている。
【００３０】
本実施形態のコンス錠１１では、図２で左から４番目の仕切板３３がコンスバー１９を作動位置に段階的に係止する作動板１７として作用する。この作動板１７は、概ね、他の仕切板３３と同様である。異なるところは、上下方向においてほぼ２等分に分割され、その下半分であるハーフ体８７が図２で上下方向、すなわち内筒１５の半径方向に移動できることである。
【００３１】
作動板１７は、コンスバー挿通孔３９の両側、及び案内溝４７の両側の計４箇所に、外側（図２の右側）に突出する上記のガイド突起８５を板面に有している。ガイド突起８５は、リリースタンブラー６７のスライド部８３を挟むように配設されている。ハーフ体８７の上端縁には富士山形の係止規制片８９（図３参照）がアーチ状に架橋され、係止規制片８９はコンスバー挿通孔３９の上方を一部塞ぐように形成されている。ハーフ体８７は、作動板バネ９１の伸長方向の復元力により、係止規制片８９がコンスバー１９に形成される複数の段部の何れかに係合する方向（図２の下方向）に付勢されている。このハーフ体８７は、異種の合鍵が挿入されるごとに異なる揺動角度で揺動されるリリースタンブラー６７による作用によって、順次半径方向内側に配置される。
【００３２】
本実施形態において、合鍵は、図９に示す第１コンストラクションキー９３と、第２コンストラクションキー９５と、入居者キー９７との何れかとなる。すなわち、工事用タンブラー６３、第１休止タンブラー６５、第２休止タンブラー６９に対応する３種の組み合わせで構成される。合鍵は、第１コンストラクションキー９３よりも第２コンストラクションキー９５が長く、第２コンストラクションキー９５よりも入居者キー９７が長く形成される。第１コンストラクションキー９３には、工事用タンブラー用ディンプル９９が形成される。第２コンストラクションキー９５には、工事用タンブラー用ディンプル９９と、第１休止タンブラー用ディンプル１０１、及びリリースタンブラー用ディンプル１０３が形成される。入居者キー９７には、工事用タンブラー用ディンプル９９と、第１休止タンブラー用ディンプル１０１、リリースタンブラー用ディンプル１０３、及び第２休止タンブラー用ディンプル１０５が形成される。
【００３３】
図７に示すコンスバー１９は、（ｂ）が引渡後位置１０７の断面図、（ｃ）が管理中位置１０９の断面図、（ｄ）が工事中位置１１１の断面図、（ｅ）が休止中位置１１３の断面図、（ｆ）が動作中位置１１５の断面図となる。コンスバー１９は、工事用タンブラー６３、第１休止タンブラー６５、リリースタンブラー６７及び第２休止タンブラー６９の鍵孔２７を除く鍵包囲穴５５に内筒１５の軸線方向に沿う方向で挿通され、軸線方向に移動可能に案内される。またコンスバー１９は、リセットバネ１１７の弾力により、内方（図２の右方）に付勢される。第１休止タンブラー６５、第２休止タンブラー６９の近傍におけるコンスバー１９の部位には、第１休止タンブラー６５、第２休止タンブラー６９に対応して断続的に切り欠かれ、少なくとも第１休止タンブラー６５、第２休止タンブラー６９と同数の休止解除切欠部１１９が形成されている。本実施形態では、第１休止タンブラー６５は１個、第２休止タンブラー６９は６個であるから、コンスバー１９における休止解除切欠部１１９の数は７である。また、コンスバー１９は、休止解除切欠部１１９の間が第１休止凸部１２１、第２休止凸部１２３となる。第１休止凸部１２１、第２休止凸部１２３は、第１休止タンブラー６５、第２休止タンブラー６９の休止用突起７１（図８参照）と当接する。
【００３４】
そして、コンスバー１９の上縁には、作動板１７の係止規制片８９が係止する複数の段部が形成されている。本実施形態において、段部は第１段部１２５と、第２段部１２７とからなる。すなわち、コンスバー１９には、ハーフ体８７に係止することで軸線方向への移動が段階的に規制される第１段部１２５、第２段部１２７が階段状に形成されている。
【００３５】
第１コンストラクションキー９３の使用状態で第１段部１２５に係止しているコンスバー１９は、第２コンストラクションキー９５の使用により、ハーフ体８７の半径方向内側への移動によって第１段部１２５の係止が解除される。第１段部１２５の係止が解除されたコンスバー１９は、軸線方向へ所定距離移動された後に、次の第２段部１２７に係止されることで、第１休止凸部１２１による第１休止タンブラー６５の揺動規制を解除、すなわち、休止用突起７１が休止解除切欠部１１９に一致して第１休止タンブラー６５の休止状態を解除する。
【００３６】
また、入居者キー９７の使用により作動板１７の半径方向内側への更なる移動によって、第２段部１２７の係止が解除されて、軸線方向へさらに所定距離移動されることで、第２休止凸部１２３による第２休止タンブラー６９の揺動規制を解除、すなわち、休止用突起７１が休止解除切欠部１１９に一致して第２休止タンブラー６９の休止状態を解除する。
【００３７】
このように、コンス錠１１では、コンスバー１９が、作動板１７の半径方向内側への段階的な移動によって、解錠切欠５９をロッキングバー２１に整合させて休止状態となっていた第１休止タンブラー６５、第２休止タンブラー６９の揺動規制を段階的に解除する。これにより、第１休止タンブラー６５、第２休止タンブラー６９は、順次に休止状態が解除される。
【００３８】
次に、上記構成を有するコンス錠１１の作用を説明する。
図１０（ａ）は第１コンストラクションキー運用時における鍵抜き状態の要部側断面図、（ｂ）は（ａ）のＡ−Ａ断面図、図１１（ａ）は第２コンストラクションキー挿入時の断面図、（ｂ）は（ａ）の内筒１５が回転途中の断面図、図１２（ａ）は第２コンストラクションキー運用時における鍵抜き状態の要部側断面図、（ｂ）は（ａ）のＢ−Ｂ断面図、図１３（ａ）は入居者キー挿入時の断面図、（ｂ）は（ａ）の内筒１５が回転途中の断面図、図１４（ａ）は入居者キー運用時における鍵抜き状態の要部側断面図、（ｂ）は（ａ）のＣ−Ｃ断面図、図１５（ａ）はリリースタンブラー６７の各機能部位を説明する正面図、（ｂ）は第１コンストラクションキー運用時の作動板位置を示す正面図、（ｃ）は第２コンストラクションキー運用時の作動板位置を示す正面図、（ｄ）は入居者キー運用時の作動板位置を示す正面図である。
図１０に示すように、コンス錠１１は、外筒１３と内筒１５との間に半径方向に移動自在となったロッキングバー２１を、内筒外周の所定位置に揃えられる解錠切欠５９に進入拒否または進入許可することで、内筒１５の回転、すなわち、施解錠を可能とする。
【００３９】
内筒１５には軸線方向に沿って複数枚の工事用タンブラー６３、第１休止タンブラー６５、リリースタンブラー６７及び第２休止タンブラー６９が揺動自在となって重ねて配置される。これらの揺動自由端外縁にはそれぞれに上記の解錠切欠５９が形成される。工事用タンブラー６３、第１休止タンブラー６５、リリースタンブラー６７及び第２休止タンブラー６９は、鍵包囲穴５５の穴縁に、係合突起６１が突設されている。鍵孔２７に合鍵が挿入されると、それぞれの係合突起６１が押圧されて、個々が所定量で揺動される結果、全ての解錠切欠５９が軸線方向に沿う直線溝となって揃う。
【００４０】
内筒１５の外周に出現したこの直線溝には、外筒１３との間に配設されているロッキングバー２１が進入可能となる。内筒１５は、この直線溝にロッキングバー２１を没入することで、外筒１３に対して回転が可能（すなわち、施解錠可能）となる。
【００４１】
ここで、コンス錠１１では、第１休止タンブラー６５、第２休止タンブラー６９の解錠切欠５９がロッキングバー２１の進入を許容する直線溝となるように、予め第１休止タンブラー６５、第２休止タンブラー６９の揺動をコンスバー１９によって揺動規制して内筒１５に仮保持、すなわち休止状態としている。一方、工事用タンブラー６３の解錠切欠５９のみが直線溝から外れている。
【００４２】
そして、最初の合鍵である第１の合鍵が挿入されると、工事用タンブラー６３の係合突起６１が押圧され、各工事用タンブラー６３が所定量揺動される。その結果、各工事用タンブラー６３のそれぞれの解錠切欠５９がロッキングバー２１を受け入れ可能な直線溝に揃い、内筒１５の回転が可能となって、その合鍵での施解錠が可能となる。
【００４３】
次に、第２の合鍵が挿入されると、リリースタンブラー６７が所定量揺動され、この状態で内筒１５が回転されると、ロッキングバー２１がリリースタンブラー６７を押圧する。押圧されたリリースタンブラー６７は、ガイド突起８５を介して作動板１７を押圧し、これにより作動板１７の係止規制片８９とコンスバー１９の最初の段部との係止を解除する。コンスバー１９は、係止が外れると、軸線方向奥側へ移動され、次の段部に係止して停止し、第１休止タンブラー６５の休止を解除する。作動板１７の移動距離は、最初の段部と次の段部との段差分である。第２の合鍵が鍵孔２７から抜かれれば、第１休止タンブラー６５の解錠切欠５９が直線溝と一致しなくなるので、今まで使用可能であった第１の合鍵は使用できなくなる。
【００４４】
次に、第３の合鍵が使用されると、リリースタンブラー６７が所定量揺動され、上記同様に、リリースタンブラー６７が作動板１７を押圧し、作動板１７とコンスバー１９の次の段部との係止を解除する。コンスバー１９は、係止が外れると、さらに軸線方向奥側へ移動され、第２休止タンブラー６９の休止を解除する。第３の合鍵が鍵孔２７から抜かれれば、第２休止タンブラー６９の解錠切欠５９が直線溝と一致しなくなるので、今まで使用可能であった第２の合鍵は使用できなくなる。
【００４５】
このように、本構成では、一つのコンスバー１９に、複数の段部を形成し、この段部に段階的に作動板１７を係止することで、段部の数分、コンスバー１９の軸線方向の移動位置を変位させることができる。その変位に同期させて第１休止タンブラー６５、第２休止タンブラー６９の休止状態が段階的に解除される。これにより、異種キーを変更する段階数に応じてリリースタンブラー６７を増やす必要がなく、一枚のリリースタンブラー６７で多段の異種キーに切り替え適合させることができる。このため、限られたタンブラー枚数の錠において、従来に比べ鍵違い数を増やすことができる。
【００４６】
次に、本発明に係るコンス錠１１のより限定された運用例として、不動産会社仲介建物を例に具体的に説明する。
この例では、上記の第１の合鍵が第１コンストラクションキー９３、第２の合鍵が第２コンストラクションキー９５、第３の合鍵が入居者キー９７であり、コンスバー１９の複数の段部が第１段部１２５、第２段部１２７とする。
コンス錠１１では、図１０に示す工事中、リリースタンブラー６７及び第１休止タンブラー６５に対応する部分より短くした第１コンストラクションキー９３（図９参照）を鍵孔２７に挿入すると、第１コンストラクションキー９３はリリースタンブラー６７に接触しない。従って、リリースタンブラー６７の解錠切欠５９はロッキングバー２１と整合した状態を保つ。
【００４７】
コンス錠１１では、最初、工事用タンブラー６３のみが揺動可能となっており、第１コンストラクションキー９３が挿入されると、工事用タンブラー６３の係合突起６１が押圧される。これにより、工事用タンブラー６３の解錠切欠５９がロッキングバー２１を受け入れ可能とするので、内筒１５の回転が可能となり、第１コンストラクションキー９３を用いた施解錠が可能となる。
【００４８】
次に、建物が完成し、入居者の入る前では、不動産会社等による建物管理が必要となる。この際に、第２コンストラクションキー９５が使用される。図１１（ａ）に示すように、第２コンストラクションキー９５が鍵孔２７に挿入されると、リリースタンブラー６７の係合突起６１が押圧されて、リリースタンブラー６７が所定量揺動される。リリースタンブラー６７の揺動は、自身に形成されているタンブラー側第１押圧面７３をロッキングバー２１に対面させる。図１１（ｂ）に示すように、この状態で第２コンストラクションキー９５が回転されると、ロッキングバー２１が外筒１３の内周に摺接して半径方向内側に移動され、リリースタンブラー６７のタンブラー側第１押圧面７３を押圧する。タンブラー側第１押圧面７３が押圧されたリリースタンブラー６７は、図１５（ｃ）に示すように、ガイド突起８５を介して作動板１７のハーフ体８７を半径方向内側へ押圧する。
【００４９】
作動板１７は、半径方向内側へ押圧されると、いままで係止していた係止規制片８９とコンスバー１９の第１段部１２５との係止が外れる。コンスバー１９は、作動板１７に対して第１段部１２５の係止が外れると、リセットバネ１１７の付勢力によって軸線方向奥側へ移動される。軸線方向奥側へ移動されたコンスバー１９は、図１２（ａ）に示すように、いままで第１休止タンブラー６５の揺動を規制していた第１休止凸部１２１が、第１休止タンブラー６５から外れ、第１休止タンブラー６５の休止を解除する。
【００５０】
これにより、いままでコンスバー１９によって解錠切欠５９が直線溝に揃えられていた第１休止タンブラー６５は、揺動規制が解除されて、第２コンストラクションキー９５が挿入された場合のみ、解錠切欠５９が直線溝に揃うようになる。第２コンストラクションキー９５が鍵孔２７から抜かれれば、第１休止タンブラー６５の解錠切欠５９が直線溝と一致しなくなるので、今まで使用可能であった第１コンストラクションキー９３は使用できなくなる。
【００５１】
次に、建物が入居者に引き渡しされると、入居者による施解錠が行われるようになる。この際に、図１３に示す入居者キー９７が使用される。入居者キー９７が鍵孔２７に挿入されると、リリースタンブラー６７の係合突起６１が押圧されて、リリースタンブラー６７がさらに所定量揺動される。リリースタンブラー６７の揺動は、自身に形成されているタンブラー側第２押圧面７５をロッキングバー２１に対面させることとなる。この状態で入居者キー９７が回転されると、ロッキングバー２１が外筒１３の内周に摺接して半径方向内側に移動され、リリースタンブラー６７のタンブラー側第２押圧面７５を押圧する。タンブラー側第２押圧面７５が押圧されたリリースタンブラー６７は、図１５（ｄ）に示すように、ガイド突起８５を介して作動板１７を半径方向内側へ押圧する。
【００５２】
作動板１７は、半径方向内側へ押圧されると、いままで係止していた係止規制片８９とコンスバー１９の第２段部１２７との係止が外れる。コンスバー１９は、作動板１７に対して第２段部１２７の係止が外れると、リセットバネ１１７の付勢力によって軸線方向奥側へ移動される。軸線方向奥側へ移動されたコンスバー１９は、図１４（ａ）に示すように、いままで第２休止タンブラー６９の揺動を規制していた第２休止凸部１２３が、第２休止タンブラー６９から外れ、第２休止タンブラー６９の休止を解除する。
【００５３】
これにより、いままでコンスバー１９によって解錠切欠５９が直線溝に揃えられていた第２休止タンブラー６９は、揺動規制が解除されて、入居者キー９７が挿入された場合のみ、解錠切欠５９が直線溝に揃うようになる。入居者キー９７が鍵孔２７から抜かれれば、第２休止タンブラー６９の解錠切欠５９が直線溝と一致しなくなるので、今まで使用可能であった第２コンストラクションキー９５は使用できなくなる。その結果、それまで不動産会社が使用していた第２コンストラクションキー９５は無効となり、以後、入居者キー９７のみが使用可能となる。
【００５４】
なお、工事期間中として第１コンストラクションキー９３を使用していた状態に、第２コンストラクションキー９５を使用せず入居者キー９７を使用することで、第１休止タンブラー６５での第２コンストラクションキー９５による運用期間を省くことも可能である。すなわち、第１コンストラクションキー９３による施解錠操作が可能な状態のコンス錠１１に、入居者キー９７を使用することで、リリースタンブラー６７は２段階分の所定量揺動し、これにより、作動板１７の係止規制片８９とコンスバー１９の係止が第２段部１２７との係止を省いてコンスバー１９の移動を行なう。これにより、第１休止タンブラー６５と第２休止タンブラー６９の双方の休止を解除する。そして、第２コンストラクションキー９５を使用することなく無効とし、以後、入居者キー９７のみが使用可能となる。
【００５５】
このようにして、コンス錠１１では、第１コンストラクションキー９３の使用可能な状態と、これを無効にして第２コンストラクションキー９５を使用可能とする状態と、さらに、この第２コンストラクションキー９５を無効にして入居者キー９７のみを使用可能とする状態との３段階の異種キー適合の切り替えを、一枚のリリースタンブラー６７で行うことができる。
【００５６】
従って、本実施形態に係るコンス錠１１によれば、リリースタンブラー６７を一枚とすることができるので、例えば第２休止タンブラー６９の枚数を減らさずに済み、入居後の鍵違い数を増やすことができる。
【００５７】
なお、上述した実施形態では、休止タンブラーを第１（６５）と第２（６９）の２組で構成し、コンスバー１９の段部を第１段部１２５と第２段部１２７とするとともに、合鍵の構成を、第１コンストラクションキー９３、第２コンストラクションキー９５、入居者キー９７の組み合わせとした例としたが、休止タンブラーは、さらに多い複数組みで構成することが可能であり、この組み数に対応させてコンスバー１９の段部を階段状に形成し、またリリースタンブラー６７の規制段部を同様に形成して、その組み数の合鍵で多段に構成することが可能である。
【符号の説明】
【００５８】
１１…異種キー多段適合錠（コンス錠）
１３…外筒
１５…内筒
１７…作動板
１９…コンスバー
２１…ロッキングバー
２５…カム溝
２７…鍵孔
４５…支軸
５９…解錠切欠
６１…係合部（係合突起）
６３…タンブラー（工事用タンブラー）
６５…第１休止タンブラー
６７…リリースタンブラー
６９…第２休止タンブラー
９３…合鍵（第１の合鍵，第１コンストラクションキー）
９５…合鍵（第２の合鍵，第２コンストラクションキー）
９７…合鍵（第３の合鍵，入居者キー）
１２１…第１休止凸部
１２３…第２休止凸部
１２５…第１段部
１２７…第２段部
【図１】
2014141835.tif 000003
【図２】
2014141835.tif 000004
【図３】
2014141835.tif 000005
【図４】
2014141835.tif 000006
【図５】
2014141835.tif 000007
【図６】
2014141835.tif 000008
【図７】
2014141835.tif 000009
【図８】
2014141835.tif 000010
【図９】
2014141835.tif 000011
【図１０】
2014141835.tif 000012
【図１１】
2014141835.tif 000013
【図１２】
2014141835.tif 000014
【図１３】
2014141835.tif 000015
【図１４】
2014141835.tif 000016
【図１５】
2014141835.tif 000017